(57)【要約】【課題】間接活線工具を防護した間接活線工具収納袋を提供する。【解決手段】収納袋１０は、有底箱形の収納袋本体１と矩形の絶縁性を有する防護カバー２を備える。収納袋本体１は、背面をバケットＢｔに係止でき、間接活線工具Ｈｓを出し入れ自在に、上面を開口している。防護カバー２は、収納袋本体１の前面に配置され、収納袋本体１に対して昇降自在に連結している。収納袋本体１に対して防護カバー２を上昇させた状態では、防護カバー２は、間接活線工具Ｈｓの工具部が通電部材に接触することを防護している。収納袋本体１は、高さ方向に配置された一対の案内筒１２・１２を前面の両側部に備え、防護カバー２は、案内筒１２の内部に進入でき、案内筒１２に案内される一対の棒状部材２２・２２を備える。又、防護カバー２は、剛性を有する矩形の絶縁板２１を備える。【選択図】図１
2020089234.tif 000002
【特許請求の範囲】
【請求項１】
高所作業車のバケットの側面に保持でき、一つ以上の長尺の間接活線工具を収納できる間接活線工具収納袋であって、
背面を前記バケットに係止し、前記間接活線工具を出し入れ自在に、上面を開口した有底箱形の収納袋本体と、
前記収納袋本体の前面に配置され、前記収納袋本体に対して昇降自在に連結した矩形の絶縁性を有する防護カバーと、を備え、
前記収納袋本体に対して前記防護カバーを上昇させた状態では、前記防護カバーは、前記間接活線工具の工具部が通電部材に接触することを防護している、間接活線工具収納袋。
【請求項２】
前記収納袋本体は、高さ方向に配置された一対の案内筒を前面の両側部に備え、
前記防護カバーは、前記案内筒の内部に進入でき、前記案内筒に案内される一対の棒状部材を備えている、請求項１記載の間接活線工具収納袋。
【請求項３】
前記収納袋本体は、幅方向に区画した複数の間接活線工具収容室を有している、請求項１又は２記載の間接活線工具収納袋。
【請求項４】
前記防護カバーは、剛性を有する矩形の絶縁板を備えている、請求項１から３のいずれに記載の間接活線工具収納袋。
【請求項５】
前記防護カバーは、厚手で矩形の絶縁シートを備えている、請求項１から３のいずれに記載の間接活線工具収納袋。
【発明の詳細な説明】
【技術分野】
【０００１】
本発明は、間接活線工具収納袋に関する。特に、高所作業車のバケットの側面に保持でき、無停電状態で電気工事を実施できる間接活線工具を収納できる間接活線工具収納袋の構造に関する。
【背景技術】
【０００２】
高圧配電線を無停電状態で配電工事を実施する活線作業には、直接活線工法と間接活線工法の二通りがあることが知られている。直接活線工法は、作業者が高圧ゴム手袋などの保護具を着用して、通電中の高圧配電線に直接触れて配電工事を実施している。一方、間接活線工法は、作業者が長尺の絶縁操作棒（ホットスティック）などを用いて、通電中の高圧配電線に直接触れることなく配電工事を実施できる。
【０００３】
作業者が高所作業車のバケットに搭乗して、間接活線作業を実施する場合には、高圧配電線を把持、又は切断するなど、用途に対応した複数の絶縁操作棒をバケットの側面に保持した収納袋に収納している。そして、作業工程の一部を実施中は、その他の用途の絶縁操作棒は収納袋に保全していた。
【０００４】
このような収納袋は、一般に、開口した上部から間接活線工具を挿入できる有底筒形の収納袋本体と、収納袋本体に取り付けた吊下ロープを備えている。そして、吊下ロープをバケットに係留することで、収納袋本体をバケットの外側に吊り下げることができる。複数の間接活線工具を収納袋本体に収納しておくことで、バケットの内部の作業スペースを確保でき、収納袋本体から目的の間接活線工具を取り出すことができる。
【０００５】
上記の有底筒形の収納袋本体は、間接活線工具を取り出すときに、間接活線工具を上方に持ち上げて収納袋本体から抜き取るため、バケットの配置により、高圧配電線又は腕金などが収納袋本体の上方に位置したときに、間接活線工具を取り出すことが困難になる場合がある。又、間接活線工具を取り出し時に、間接活線工具が高圧配電線に接触する心配がある。
【０００６】
このようなことから、縦長長方形の背面部の前面に、その前面を囲う一組の縦長シートを設け、各縦長シートの後端部を背面部に固着し、各縦長シートの前端縁を係脱自在に止着して背面部と一組の縦長シートとの間に、間接活線工具を収納するようにした間接活線工具収納袋が開示されている（例えば、特許文献１参照）。
【０００７】
特許文献１による間接活線工具収納袋は、一組の縦長シートの前端縁同士の止着を解除することで、前方が開放するようになっている。そして、間接活線工具を上方に持ち上げることなく、前方に押し出すことで、間接活線工具を取り出せるように構成している。これにより、特許文献１による収納袋は、間接活線工具を高圧配電線に接触させることなく、安全に取り出すことができる、としている。
【０００８】
しかし、特許文献１による間接活線工具収納袋は、前面にある一対の縦長シートの前端縁同士を止着しているため、バケットの外側に吊した状態で間接活線工具を出し入れするときに、作業者がバケットから身体を乗り出した姿勢で、一対の縦長シートの前端縁同士の止着又は解除をする必要があるので、作業者に対する安全を十分に確保できないという不具合があった。
【０００９】
特許文献１による間接活線工具収納袋は、上記のような不具合があるので、間接活線工具を落下させる心配が無く確実に収納でき、又、作業者がバケットから身体を乗り出すような不安定な姿勢をとることなく、間接活線工具を安全かつ容易に出し入れできる間接活線工具収納装置が開示されている（例えば、特許文献２参照）。
【先行技術文献】
【特許文献】
【００１０】
【特許文献１】特開２０００−１０３４８５号公報
【特許文献２】特開２０１０−１４２０７２号公報
【発明の概要】
【発明が解決しようとする課題】
【００１１】
図６は、従来技術による間接活線工具収納装置の構成を示す斜視図であり、図６（Ａ）は、複数の箱状の可動体をベース体に収容した状態図、図６（Ｂ）は、一部の箱状の可動体をベース体に対して傾倒した状態図である。なお、本願の図６は、特許文献２の図１に相当している。
【００１２】
図６を参照すると、従来技術による間接活線工具収納装置（以下、収納装置と略称する）９は、箱状のバケットＢｔに保持できる。バケットＢｔは、高所作業車のブームＢｍの先端部に取り付けている。バケットＢｔには、作業員が搭乗でき、所定の間接活線工具Ｈｓを用いて、電気工事を実施できる。
【００１３】
図６を参照すると、収納装置９は、箱状のベース体９１と複数の角筒状の可動体９２を備えている。ベース体９１は、矩形の背面板９１１と底面板９１２を有している。ベース体９１は、その上面と前面を開放している。収納装置９は、一対の鉤状のフック９ｆ・９ｆを背面板９１１に取り付けている。一対のフック９ｆ・９ｆをバケットＢｔの上縁に係止することで、収納装置９をバケットＢｔから吊下げることができる。
【００１４】
図６を参照すると、又、ベース体９１は、一対の側面板９１３・９１３と複数の隔壁９１４を有している。複数の隔壁９１４は、一対の側面板９１３・９１３と略平行に配置されている。側面板９１３と隔壁９１４で囲われた収容空間、及び、一組の隔壁９１４・９１４で囲われた収容空間に可動体９２が収容されている。可動体９２には、間接活線工具Ｈｓをその上面開口から収容できる。
【００１５】
図６を参照すると、可動体９２は、その前面の底部と底面板９１２が図示しないヒンジ部材で連結している。可動体９２は、通常、図示しないロック機構で起立状態を維持している。図示しないロック機構を解除することで、図６（Ｂ）に示すように、目的の可動体９２を前面側に傾倒できる。
【００１６】
特許文献２による間接活線工具収納装置は、間接活線工具を出し入れする時に間接活線工具をバケットから遠ざかる方向に移動させる必要がなく、又、バケットの前方側にある部分に対する操作を行う必要がないため、作業者がバケットから身体を外側に乗り出すような姿勢をとることなく、簡単な作業で間接活線工具を出し入れでき、作業者の安全を確保できる、としている。
【００１７】
一般に、間接活線工具は、導電性を有する工具部を先端側に配置している。図６を参照して、特許文献２による収納装置９に、間接活線工具Ｈｓを収容した状態では、間接活線工具Ｈｓの工具部が露出している。このため、収納装置９から間接活線工具Ｈｓを取り出すときに、間接活線工具Ｈｓの工具部が高圧配電線などの通電部材に接触する心配がある。又、間接活線工具Ｈｓを用いて作業中に、バケットを移動すると、収納装置９に収容した間接活線工具Ｈｓの工具部が高圧配電線に接触する心配がある。
【００１８】
間接活線工具収納袋に収容した間接活線工具の工具部が高圧配電線などの通電部材に不用意に接触しないように、間接活線工具の工具部を防護した間接活線工具収納袋が求められている。そして、以上のことが本発明の課題といってよい。
【００１９】
本発明は、このような課題に鑑みてなされたものであり、間接活線工具収納袋に収容した間接活線工具の工具部が高圧配電線に不用意に接触しないように、間接活線工具を防護した間接活線工具収納袋を提供することを目的とする。
【課題を解決するための手段】
【００２０】
本発明者は、背面をバケットに係止し、間接活線工具を出し入れ自在な有底箱形の収納袋本体と、収納袋本体の前面に配置され、収納袋本体に対して昇降自在に連結した防護カバーで間接活線工具収納袋を構成し、収納袋本体に対して防護カバーを上昇させることで、間接活線工具の工具部が高圧配電線などの通電部材に接触することを防護できると考え、これに基づいて、以下のような新たな間接活線工具収納袋を発明するに至った。
【００２１】
（１）本発明による間接活線工具収納袋は、高所作業車のバケットの側面に保持でき、一つ以上の長尺の間接活線工具を収納できる間接活線工具収納袋であって、背面を前記バケットに係止し、前記間接活線工具を出し入れ自在に、上面を開口した有底箱形の収納袋本体と、前記収納袋本体の前面に配置され、前記収納袋本体に対して昇降自在に連結した矩形の絶縁性を有する防護カバーと、を備え、前記収納袋本体に対して前記防護カバーを上昇させた状態では、前記防護カバーは、前記間接活線工具の工具部が通電部材に接触することを防護している。
【００２２】
（２）前記収納袋本体は、高さ方向に配置された一対の案内筒を前面の両側部に備え、前記防護カバーは、前記案内筒の内部に進入でき、前記案内筒に案内される一対の棒状部材を備えていることが好ましい。
【００２３】
（３）前記収納袋本体は、幅方向に区画した複数の間接活線工具収容室を有していることが好ましい。
【００２４】
（４）前記防護カバーは、剛性を有する矩形の絶縁板を備えていてもよい。
【００２５】
（５）前記防護カバーは、厚手で矩形の絶縁シートを備えていてもよい。
【発明の効果】
【００２６】
本発明による間接活線工具収納袋は、背面をバケットに係止し、間接活線工具を出し入れ自在な有底箱形の収納袋本体と、収納袋本体の前面に配置され、収納袋本体に対して昇降自在に連結した防護カバーを備えているので、収納袋本体に対して防護カバーを上昇させることで、間接活線工具の工具部が高圧配電線などの通電部材に不用意に接触することを防護できる。
【図面の簡単な説明】
【００２７】
【図１】本発明の第１実施形態による間接活線工具収納袋の構成を示す斜視図である。
【図２】第１実施形態による間接活線工具収納袋の構成を示す図であり、図２（Ａ）は、間接活線工具収納袋の正面図、図２（Ｂ）は、間接活線工具収納袋の平面図、図２（Ｃ）は、間接活線工具収納袋の右側面図である。
【図３】第１実施形態による間接活線工具収納袋の構成を示す斜視分解組立図である。
【図４】第１実施形態による間接活線工具収納袋の使用状態を示す斜視図であり、収納袋本体に対して防護カバーを上昇させた状態図である。
【図５】本発明の第２実施形態による間接活線工具収納袋の構成を示す斜視図であり、収納袋本体に対して防護カバーを上昇させた状態図である。
【図６】従来技術による間接活線工具収納装置の構成を示す斜視図であり、図６（Ａ）は、複数の箱状の可動体をベース体に収容した状態図、図６（Ｂ）は、ベース体に対して一部の箱状の可動体を傾倒した状態図である。
【発明を実施するための形態】
【００２８】
以下、図面を参照して本発明を実施するための形態を説明する。
【００２９】
［第１実施形態］
（間接活線工具収納袋の構成）
（全体構成）
最初に、本発明の第１実施形態による間接活線工具収納袋の構成を説明する。なお、従来技術で用いた符号と同じ符号を付した構成品は、その作用を同じにするので、以下、説明を省略することがある。
【００３０】
図１から図４を参照すると、本発明の第１実施形態による間接活線工具収納袋（以下、収納袋と略称する）１０は、箱状のバケットＢｔの側面に保持できる。バケットＢｔは、高所作業車のブームＢｍの先端部に取り付けている。収納袋１０には、一つ以上の長尺の間接活線工具Ｈｓを収納できる。
【００３１】
図１から図４を参照すると、収納袋１０は、有底箱形の収納袋本体１と矩形の絶縁性を有する防護カバー２を備えている。収納袋本体１は、その背面をバケットＢｔに係止できる。又、収納袋本体１は、その上面を開口している。収納袋本体１には、その上面から間接活線工具Ｈｓを出し入れできる。
【００３２】
図１から図４を参照すると、防護カバー２は、収納袋本体１の前面に配置されている。防護カバー２は、収納袋本体１に対して昇降自在に連結している。図４を参照して、収納袋本体１に対して防護カバー２を上昇させた状態では、防護カバー２は、間接活線工具Ｈｓの工具部が高圧配電線（図示せず）などの通電部材に接触することを防護している。
【００３３】
図１から図４を参照すると、第１実施形態による収納袋１０は、背面をバケットＢｔに係止し、間接活線工具Ｈｓを出し入れ自在な有底箱形の収納袋本体１と、収納袋本体１の前面に配置され、収納袋本体１に対して昇降自在に連結した防護カバー２を備えているので、収納袋本体１に対して防護カバー２を上昇させることで、間接活線工具Ｈｓの工具部が高圧配電線などの通電部材に不用意に接触することを防護できる。
【００３４】
（収納袋本体の構成）
次に、第１実施形態による収納袋本体１の構成を説明する。図１から図４を参照すると、収納袋本体１は、絶縁性を有する帆布などの厚手の布材を縫製することにより、箱状に形成している。又、収納袋本体１は、一対の鉤状のフック１ｆ・１ｆを背面に取り付けている。一対の１ｆ・１ｆをバケットＢｔの上縁に係止することで、収納袋１０をバケットＢｔから吊下げることができる。
【００３５】
又、図１から図４を参照すると、収納袋本体１は、複数の仕切り部材１１を有している。複数の仕切り部材１１は、一対の側面壁１１ｓ・１１ｓと略平行に配置されている。側面と仕切り部材１１で囲われた間接活線工具収容室Ｒ、及び、一組の仕切り部材１１・１１で囲われた間接活線工具収容室Ｒに間接活線工具Ｈｓを収容できる。
【００３６】
図１又は図３及び図４を参照すると、このように、収納袋本体１は、幅方向に区画した複数の間接活線工具収容室Ｒを有している。間接活線工具収容室Ｒには、間接活線工具Ｈｓを互いに干渉すること無く、その上面開口から収容できる。間接活線工具収容室Ｒには、二つの間接活線工具Ｈｓを収容することもできる。
【００３７】
図１から図４を参照すると、収納袋本体１は、高さ方向に配置された一対の案内筒１２・１２を前面の両側部に備えている。案内筒１２の内部には、後述する棒状部材２２を進入できる。又、案内筒１２は、後述する棒状部材２２を高さ方向にスライド自在に案内できる。
【００３８】
（防護カバーの構成）
次に、第１実施形態による防護カバー２の構成を説明する。図１から図４を参照すると、防護カバー２は、矩形の絶縁板２１と一対の棒状部材２２・２２を備えている。絶縁板２１は、剛性を有する合成樹脂板からなることが好ましい。
【００３９】
図１から図４を参照すると、棒状部材２２は、帯板状のクリップ片２２ｃを更に備えている。クリップ片２２ｃは、棒状部材２２の上部で結合している。又、クリップ片２２ｃは、棒状部材２２の外周と所定の間隙を設けて、棒状部材２２の下端部に向って、棒状部材２２と略平行に延びている。一対のクリップ片２２ｃ・２２ｃは、絶縁板２１の両端部に固定されている。
【００４０】
図１から図４を参照して、棒状部材２２を案内筒１２に進入すると、棒状部材２２とクリップ片２２ｃで案内筒１２を挟持できる。収納袋本体１に対して防護カバー２が容易に下降しないように、クリップ片２２ｃの挟持力を強くしておくことが好ましい。
【００４１】
図２から図４を参照すると、棒状部材２２は、第１停止片２２１を上端部に有している。第１停止片２２１は、棒状部材２２の外周方向に突出している。第１停止片２２１が案内筒１２の上端縁に当接することで、収納袋本体１に対して防護カバー２の自重による脱落を防止できる。
【００４２】
一方、図２から図４を参照すると、クリップ片２２ｃは、第２停止片２２２を下端部側に有している。第２停止片２２２は、棒状部材２２に向って突出している。第２停止片２２２が案内筒１２の下端縁に当接することで、収納袋本体１に対して防護カバー２を引き上げたときに、最大引き上げ位置を規定できる（図４参照）。
【００４３】
図２から図４を参照すると、第１実施形態による収納袋１０は、間接活線工具Ｈｓの工具部を超えた位置まで、防護カバー２を最大に引き上げられるように、構成することが好ましい。
【００４４】
図１から図４を参照すると、収納袋本体１と防護カバー２は、上記のようにスライド自在に連結しているので、収納袋本体１に対して防護カバー２を高さ方向に任意の位置で停止できる。
【００４５】
（間接活線工具収納袋の作用）
次に、第１実施形態による収納袋１０の作用及び効果を説明する。図１から図４を参照すると、第１実施形態による収納袋１０は、背面をバケットＢｔに係止し、間接活線工具Ｈｓを出し入れ自在な有底箱形の収納袋本体１と、収納袋本体１の前面に配置され、収納袋本体１に対して昇降自在に連結した防護カバー２を備えている。
【００４６】
図１から図４を参照すると、第１実施形態による収納袋１０は、収納袋本体１に対して絶縁性を有する防護カバー２を上昇させることで、間接活線工具Ｈｓの工具部が高圧配電線などの通電部材に不用意に接触することを防護できる。
【００４７】
図１から図４を参照すると、第１実施形態による防護カバー２の絶縁板２１は、剛性を有する合成樹脂板で構成しているので、間接活線工具Ｈｓの工具部が高圧配電線などの通電部材に接触することを確実に防止できる。
【００４８】
図１から図４を参照すると、第１実施形態による収納袋本体１は、幅方向に区画した複数の間接活線工具収容室Ｒを有しているので、間接活線工具収容室Ｒには、間接活線工具Ｈｓを互いに干渉すること無く、その上面開口から収容できる。
【００４９】
第１実施形態による収納袋１０は、収納袋本体１に対して防護カバー２を上昇させることで、間接活線工具Ｈｓを不用意に落下させることを防止できる。
【００５０】
［第２実施形態］
（間接活線工具収納袋の構成）
最初に、本発明の第１実施形態による間接活線工具収納袋の構成を説明する。なお、第１実施形態で用いた符号と同じ符号を付した構成品は、その作用を同じにするので、以下、説明を省略することがある。
【００５１】
図５を参照すると、本発明の第２実施形態による間接活線工具収納袋（以下、収納袋と略称する）２０は、箱状のバケットＢｔの側面に保持できる。バケットＢｔは、高所作業車のブームＢｍの先端部に取り付けている。収納袋２０には、一つ以上の長尺の間接活線工具Ｈｓを収納できる。
【００５２】
図５を参照すると、収納袋２０は、有底箱形の収納袋本体１と矩形の絶縁性を有する防護カバー３を備えている。収納袋本体１は、その背面をバケットＢｔに係止できる。又、収納袋本体１は、その上面を開口している。収納袋本体１には、その上面から間接活線工具Ｈｓを出し入れできる。
【００５３】
図５を参照すると、防護カバー３は、収納袋本体１の前面に配置されている。防護カバー３は、収納袋本体１に対して昇降自在に連結している。図５を参照して、収納袋本体１に対して防護カバー３を上昇させた状態では、防護カバー３は、間接活線工具Ｈｓの工具部が高圧配電線（図示せず）などの通電部材に接触することを防護している。
【００５４】
図５を参照すると、第２実施形態による収納袋２０は、背面をバケットＢｔに係止し、間接活線工具Ｈｓを出し入れ自在な有底箱形の収納袋本体１と、収納袋本体１の前面に配置され、収納袋本体１に対して昇降自在に連結した防護カバー３を備えているので、収納袋本体１に対して防護カバー３を上昇させることで、間接活線工具Ｈｓの工具部が高圧配電線などの通電部材に不用意に接触することを防護できる。
【００５５】
（防護カバーの構成）
次に、第２実施形態による防護カバー３の構成を説明する。図５を参照すると、防護カバー３は、厚手で矩形の絶縁シート３１と一対の棒状部材３２・３２を備えている。絶縁シート３１は、収納袋本体１の素材と同じの帆布などからなることが好ましい。例えば、絶縁シート３１は、その両端部が一組のバー部材３２ｂ・３２ｂに縫製されている。
【００５６】
図３を参照すると、棒状部材３２は、帯板状のクリップ片３２ｃを更に備えている。クリップ片３２ｃは、棒状部材３２の上部で結合している。又、クリップ片３２ｃは、棒状部材３２の外周と所定の間隙を設けて、棒状部材３２の下端部に向って、棒状部材３２と略平行に延びている。一対のクリップ片３２ｃ・３２ｃは、一組のバー部材３２ｂ・３２ｂの両端部に固定されている。
【００５７】
図５を参照して、棒状部材３２を案内筒１２に進入すると、棒状部材３２とクリップ片３２ｃで案内筒１２を挟持できる。収納袋本体１に対して防護カバー３が容易に下降しないように、クリップ片３２ｃの挟持力を強くしておくことが好ましい。
【００５８】
図５を参照すると、棒状部材３２は、第１停止片３２１を上端部に有している。第１停止片３２１は、棒状部材３２の外周方向に突出している。第１停止片３２１が案内筒１２の上端縁に当接することで、収納袋本体１に対して防護カバー３の自重による脱落を防止できる。
【００５９】
図５を参照すると、クリップ片３２ｃは、第２停止片３２２を下端部側に有している。第２停止片３２２は、棒状部材３２に向って突出している。第２停止片３２２が案内筒１２の下端縁に当接することで、収納袋本体１に対して防護カバー３を引き上げたときに、最大引き上げ位置を規定できる。
【００６０】
図５を参照すると、第２実施形態による収納袋２０は、間接活線工具Ｈｓの工具部を超えた位置まで、防護カバー３を最大に引き上げられるように、構成することが好ましい。なお、棒状部材２２と棒状部材３２は、同じものであるが説明の便宜上、符号を変えて区別した。同様に、クリップ片２２ｃとクリップ片３２ｃは、同じものであるが説明の便宜上、符号を変えて区別した。
【００６１】
図５を参照すると、収納袋本体１と防護カバー３は、上記のようにスライド自在に連結しているので、収納袋本体１に対して防護カバー３を高さ方向に任意の位置で停止できる。
【００６２】
（間接活線工具収納袋の作用）
次に、第２実施形態による収納袋２０の作用及び効果を説明する。図５を参照すると、第２実施形態による収納袋２０は、背面をバケットＢｔに係止し、間接活線工具Ｈｓを出し入れ自在な有底箱形の収納袋本体１と、収納袋本体１の前面に配置され、収納袋本体１に対して昇降自在に連結した防護カバー３を備えている。
【００６３】
第２実施形態による収納袋２０は、第１実施形態による収納袋１０と同様な効果を奏するが、防護カバー３の絶縁シート３１を収納袋本体１の素材と同じの帆布などで構成することで、収納袋本体１の変形に追従させることができる。
【００６４】
本発明による間接活線工具収納袋は、以下の効果が期待できる。
（１）間接活線工具を出し入れするときに、高圧配電線に接触する心配が無くなる。
（２）作業者が高圧配電線に不用意に接触する心配が無くなる。
（３）間接活線工具を収納袋に容易に収納できる。
【符号の説明】
【００６５】
１  収納袋本体
２  防護カバー
１０  収納袋（間接活線工具収納袋）
１２・１２  一対の案内筒
２２・２２  一対の棒状部材
Ｂｔ  バケット
Ｈｓ  間接活線工具
【図１】
2020089234.tif 000003
【図２】
2020089234.tif 000004
【図３】
2020089234.tif 000005
【図４】
2020089234.tif 000006
【図５】
2020089234.tif 000007
【図６】
2020089234.tif 000008